(57)【要約】【課題】使い勝手を向上したインターホン装置並びにインターホンシステムを提供する。【解決手段】タッチパネル１０で検出する接触位置が液晶ディスプレイ５の画面５ａ内において少なくとも案内表示の表示領域と一致するときに制御部１が当該案内表示に対応した操作入力を受け付ける。つまり、案内表示を操作釦画像と誤認識した使用者（住人）が操作領域に触れると当該案内表示に対応した操作入力、例えば、通話開始の操作入力が制御部１で受け付けられ、制御手段たる制御部１が操作釦１８（操作スイッチ１１）の操作によって通話開始の操作入力を受け付けた場合と同様の処理、この場合は通話開始の処理を実行する。したがって、操作釦１８（操作スイッチ１１）のみで通話開始の操作入力が受け付けられる場合と比較して使い勝手を向上することができる。【選択図】        図１
2010288228.tif 000002
【特許請求の範囲】
【請求項１】
他のインターホン装置との間で音声を授受するインターホン装置であって、種々の情報を画面に表示する表示手段と、表示手段の画面前方に配設されて当該画面内で人が触れた位置を検出する接触位置検出手段と、表示手段の画面外に配設されたメカニカルな操作スイッチを有し当該操作スイッチが操作されたときに操作入力を受け付ける第１の操作入力受付手段と、表示手段の画面に１乃至複数の操作釦画像を表示させるとともに接触位置検出手段が検出する接触位置が前記操作釦画像の表示位置と一致するときに当該操作釦画像に対応した操作入力を受け付ける第２の操作入力受付手段と、第１及び第２の操作入力受付手段で受け付ける各操作入力に応じた処理を実行する制御手段とを備え、
第１の操作入力受付手段は、複数種類の操作入力のうちから適宜選択した一の操作入力に対応する案内表示を表示手段に表示させるとともに操作スイッチが操作されたときに表示されている案内表示に対応した操作入力を受け付けてなり、
第２の操作入力受付手段は、接触位置検出手段が検出する接触位置が、表示手段の画面内において少なくとも前記案内表示の表示領域と一致するときに当該案内表示に対応した操作入力を受け付けることを特徴とするインターホン装置。
【請求項２】
第１の操作入力受付手段が表示手段の画面に表示させる案内表示の形状と、第２の操作入力受付手段が表示手段の画面に表示させる操作釦画像の形状とが異なることを特徴とする請求項１記載のインターホン装置。
【請求項３】
請求項１又は２記載のインターホン装置と、当該インターホン装置との間で音声を授受するインターホン装置とを有することを特徴とするインターホンシステム。
【発明の詳細な説明】
【技術分野】
【０００１】
本発明は、インターホン装置並びにインターホンシステムに関するものである。
【背景技術】
【０００２】
従来、宅外（例えば、外玄関）に設置されるインターホン装置（ドアホン子器）と、宅内に設置されるインターホン装置（インターホン親機）との間で信号線を介して音声信号を送受信するとともにドアホン子器が具備する撮像装置から出力される映像信号を同じく信号線を介してインターホン親機へ送信することにより、インターホン親機が具備するモニタに撮像装置で撮像された来訪者の映像を表示しながら来訪者と住人がそれぞれドアホン子器とインターホン親機を用いて通話（インターホン通話）できるようにしたインターホンシステムが提供されている（例えば、特許文献１参照）。また、インターホン親機においては、ドアホン子器から伝送される映像を記憶する機能（録画機能）や宅内に設置される他のインターホン装置（インターホン副親機）を呼び出して通話を行う機能（内線通話機能）、あるいは玄関扉に設けられている電気錠の施錠・解錠を行う機能（電気錠制御機能）などの様々な付加機能を有するものも提供されている。そして、このように多種多様な機能が付加されたインターホン親機では、当然に各機能に対応した操作入力を受け付けるための操作スイッチ並びに当該操作スイッチを操作するための操作釦が必要になるが、それぞれの機能に対応した専用の操作スイッチ並びに操作釦を設けていたのでは大型化してしまうので、例えば、映像を表示するためのモニタとしてタッチパネル付きの液晶ディスプレイを採用することで操作スイッチ並びに操作釦の個数を減らすことができる。
【０００３】
一方、タッチパネルを利用した操作入力の受け付けは、タクトスイッチなどのメカニカルな操作スイッチを利用した操作入力の受け付けと比較して処理時間が長くかかるため、使用者が操作してから当該操作に対応する処理が実行されるまでのタイムラグが相対的に長くなってしまう。そのため、ドアホン子器からの呼出に対して応答するための操作入力のようにタイムラグが長くなると使用者にとっての使用感が低下してしまう場合を考慮して、特定の操作入力（例えば、ドアホン子器からの呼出に対して応答するための操作入力など）についてはメカニカルな操作スイッチ並びに操作釦を利用することがある。また、このような特定の操作入力が複数種類ある場合においては、メカニカルな操作スイッチ並びに操作釦をこれら複数種類の操作入力で共用するために、当該操作スイッチ並びに操作釦の機能（操作入力の内容）を説明する文字やアイコン等を液晶ディスプレイの画面に表示することがある。つまり、「Ａ」という機能に対応する文字やアイコン等が画面に表示されているときに操作スイッチが操作されたときは「Ａ」という機能に対応する操作入力が受け付けられ、「Ｂ」という機能に対応する文字やアイコン等が画面に表示されているときに操作スイッチが操作されたときは「Ｂ」という機能に対応する操作入力が受け付けられるのである。尚、メカニカルな操作スイッチとタッチパネルを併用すれば、タッチパネル用に多数の操作釦画像が同時に表示されて来訪者の映像が見づらくなることも防止できる。
【先行技術文献】
【特許文献】
【０００４】
【特許文献１】特開２００９−４８４８３号公報
【発明の概要】
【発明が解決しようとする課題】
【０００５】
しかしながら、上述のようにメカニカルな操作スイッチ並びに操作釦の機能を説明する文字やアイコン等を液晶ディスプレイの画面に表示した場合、使用者が当該文字やアイコン等が表示されている部分を誤って押操作してしまい、使い勝手が低下してしまう虞があった。
【０００６】
本発明は上記事情に鑑みて為されたものであり、その目的は、使い勝手を向上したインターホン装置並びにインターホンシステムを提供することにある。
【課題を解決するための手段】
【０００７】
請求項１の発明は、上記目的を達成するために、他のインターホン装置との間で音声を授受するインターホン装置であって、種々の情報を画面に表示する表示手段と、表示手段の画面前方に配設されて当該画面内で人が触れた位置を検出する接触位置検出手段と、表示手段の画面外に配設されたメカニカルな操作スイッチを有し当該操作スイッチが操作されたときに操作入力を受け付ける第１の操作入力受付手段と、表示手段の画面に１乃至複数の操作釦画像を表示させるとともに接触位置検出手段が検出する接触位置が前記操作釦画像の表示位置と一致するときに当該操作釦画像に対応した操作入力を受け付ける第２の操作入力受付手段と、第１及び第２の操作入力受付手段で受け付ける各操作入力に応じた処理を実行する制御手段とを備え、第１の操作入力受付手段は、複数種類の操作入力のうちから適宜選択した一の操作入力に対応する案内表示を表示手段に表示させるとともに操作スイッチが操作されたときに表示されている案内表示に対応した操作入力を受け付けてなり、第２の操作入力受付手段は、接触位置検出手段が検出する接触位置が、表示手段の画面内において少なくとも前記案内表示の表示領域と一致するときに当該案内表示に対応した操作入力を受け付けることを特徴とする。
【０００８】
請求項１の発明によれば、表示手段の画面に表示される案内表示に対応した操作入力を受け付けさせようとした使用者が、操作スイッチの代わりに案内表示が表示されている表示手段の画面に触れた場合、第２の操作入力受付手段が、接触位置検出手段が検出する接触位置と、表示手段の画面内において少なくとも前記案内表示の表示領域とが一致するときに当該案内表示に対応した操作入力を受け付けるので、操作スイッチが操作された場合と同一の操作入力に応じた処理が制御手段で実行されることになり、使い勝手が向上する。
【０００９】
請求項２の発明は、請求項１の発明において、第１の操作入力受付手段が表示手段の画面に表示させる案内表示の形状と、第２の操作入力受付手段が表示手段の画面に表示させる操作釦画像の形状とが異なることを特徴とする。
【００１０】
請求項２の発明によれば、案内表示が操作釦画像と誤認識される可能性が低下する。
【００１１】
請求項３の発明は、上記目的を達成するために、請求項１又は２記載のインターホン装置と、当該インターホン装置との間で音声を授受するインターホン装置とを有することを特徴とする。
【００１２】
請求項３の発明によれば、請求項１又は２の発明の作用を奏するインターホンシステムが提供できる。
【発明の効果】
【００１３】
本発明によれば、使い勝手を向上したインターホン装置並びにインターホンシステムが提供できる。
【図面の簡単な説明】
【００１４】
【図１】本発明の実施形態を示すシステム構成図並びにインターホン親機のブロック図である。
【図２】同上のインターホン親機の正面図である。
【図３】（ａ），（ｂ）は同上のインターホン親機における液晶ディスプレイの画面表示の説明図である。
【発明を実施するための形態】
【００１５】
以下、本発明の技術思想を戸建て住宅向けのインターホンシステムに適用した実施形態について、図面を参照して詳細に説明する。
【００１６】
本実施形態のインターホンシステムは、図１に示すように宅内に設置されるインターホン親機Ｍ並びにインターホン副親機Ｍ’と、宅外（例えば、外玄関）に設置されるインターホン子器Ｓと、インターホン親機Ｍからの制御信号を受けて玄関扉に設置されている電気錠を施錠・解錠する電気錠装置Ｌとを備えている。尚、本実施形態では、インターホン親機（以下、親機と略す。）１を本発明に係るインターホン装置としている。
【００１７】
図示は省略するが、ドアホン子器Ｓは、マイクロホン並びにスピーカと、マイクロホンから出力する音声信号を符号化し且つ相対的に低い周波数帯域でディジタル変調するとともに信号線Ｌｓを介して伝送される変調された音声信号をディジタル復調し且つ復号してスピーカから音声を鳴動させる音声信号処理部と、ＣＣＤやＣＭＯＳ等の固体撮像素子とレンズ等の光学系を有し来訪者を撮像する撮像装置と、撮像装置から出力する映像信号を符号化し且つ音声信号よりも相対的に高い周波数帯域でディジタル変調するとともに変調された映像信号を信号線Ｌｓを介して伝送する映像信号伝送部と、音声信号処理部から出力する音声信号と映像信号伝送部から出力する映像信号を周波数多重化して信号線Ｌｓに送出するとともに、信号線Ｌｓを介して親機Ｍや副親機Ｍ’から伝送される音声信号を分離する多重分離部と、信号線Ｌｓを介して呼出信号を送信する呼出信号送信部と、マイコンを主構成要素とし全体の動作制御を行う制御部と、呼出釦１０１の操作入力を受け付けて制御部に対して操作信号を出力する操作入力受付部と、後述するように信号線Ｌｓを介して親機Ｍの給電回路１６から給電される電力で各部の動作電源を作成する電源部と、これら各部を収納して外玄関の壁面に設置される箱形の器体１００とを備えている。
【００１８】
親機Ｍからドアホン子器Ｓへの給電電圧（直流電圧）は、ドアホン子器Ｓが通話状態あるいはモニタ状態（後述する）の何れでもないときはシステムの低消費電力化を図るために相対的に低い状態とされ、通話状態やモニタ状態では相対的に高い状態とされる。以下、給電電圧の低い状態のことを待機給電状態と呼び、給電電圧の高い状態のことを動作給電状態と呼ぶ。ドアホン子器Ｓにおいては、待機給電状態にあるときは制御部のマイコンがスタンバイ状態で操作入力受付部から操作信号が出力されるのを待っており、呼出釦１０１が操作されて操作入力受付部から操作信号が出力されると、制御部は呼出信号送信部を制御して、信号線Ｌｓの線間電圧を待機給電状態よりもさらに低い電圧に低下させることで親機Ｍに呼出信号を伝送する。そして、呼出信号を受信した親機Ｍが給電電圧を待機給電状態から動作給電状態に移行すると、制御部のマイコンがスタンバイ状態から通常状態に復帰し、撮像装置並びに映像信号伝送部を起動して映像信号を信号線Ｌｓを介して親機Ｍに送信するとともに音声信号処理部を起動して音声信号の送受、すなわち、通話が可能な状態となる。また、後述するように親機Ｍにおいてドアホン子器Ｓをモニタ状態とする操作入力が受け付けられることで給電電圧を待機給電状態から動作給電状態に移行した場合、制御部のマイコンがスタンバイ状態から通常状態に復帰し、撮像装置並びに映像信号伝送部を起動して映像信号を信号線Ｌｓを介して親機Ｍに送信することでドアホン子器Ｓの撮像装置で撮像した映像を親機Ｍでモニタできるようになっている。
【００１９】
一方、親機Ｍは、マイクロホン２並びにスピーカ３と、マイクロホン２から出力する音声信号を符号化し且つ相対的に低い周波数帯域でディジタル変調するとともに信号線Ｌｓを介して伝送される変調された音声信号をディジタル復調し且つ復号してスピーカ３から音声を鳴動させる通話回路４と、液晶ディスプレイ５と、信号線Ｌｓを介して伝送される変調された映像信号をディジタル復調し且つ復号する復調部６と、復調部６で復調された映像信号を液晶ディスプレイ５に表示させるとともに後述する案内表示や操作釦画像を前記映像信号に重ねて表示するような画像処理を行う画像処理部７と、案内表示や操作釦画像、警報音等のデータを記憶しているメモリ８と、メモリ８に記憶している警報音等のデータを読み出して伸長する音声処理部９と、液晶ディスプレイ５の画面前方に配設されたタッチパネル１０と、タクトスイッチのようなメカニカルなスイッチからなる操作スイッチ１１と、電気錠装置Ｌとの間で信号伝送を行うインタフェース（Ｉ／Ｆ）部１２と、電波を媒体とする無線信号を送受信するアンテナ１３並びに無線回路１４と、商用電源ＡＣから各部の動作電源を作成する電源部１５と、電源部１５で作成される直流電源を信号線Ｌｓを介してドアホン子器Ｓに給電する給電回路１６と、ＣＰＵを主構成要素として各部を制御する制御部１と、これら各部を収納するハウジング１７とを備えている。
【００２０】
親機Ｍのハウジング１７は、図２に示すように扁平な矩形箱状に形成されており、前面の上部中央に液晶ディスプレイ５の画面５ａが露出している。また、液晶ディスプレイ５の画面５ａにはタッチパネル１０が重ねて配設されている。さらに、ハウジング１７の左側面にはアンテナ１３が突設されている。またさらに、ハウジング１７の前面上部における画面５ａの右隣には操作スイッチ１１を押操作するための操作釦１８が設けられている。
【００２１】
ここで、図１においては図示を省略しているが、本実施形態のインターホンシステムは、宅内の火災を感知するとともに火災を感知したときに電波を媒体とする無線信号で火災感知情報を送信する火災感知器、窓の開閉や窓ガラスの破壊等を検出するとともにこれらの異常を検出したときに電波を媒体とする無線信号で異常検出情報を送信するセキュリティセンサなども備えている。そして、親機Ｍにおいては、火災感知器やセキュリティセンサから送信される無線信号をアンテナ１３並びに無線回路１４で受信すると、制御部１が音声処理部９を制御してスピーカ３から火災の発生を知らせる警報音や不審者の侵入を知らせる警報音などを鳴動させるとともに、画像処理部７を制御して火災発生や不審者の侵入を知らせるマークを液晶ディスプレイ５に表示させるようになっている。
【００２２】
また、通話回路４には通信線Ｌｄを介して副親機Ｍ’が接続されており、通信線Ｌｄを介して親機Ｍと副親機Ｍ’、あるいはドアホン子器Ｓと副親機Ｍ’との間で音声並びに映像を授受することができるようになっている。尚、副親機Ｍ’はアンテナ１３と無線回路１４を具備しない点を除いて基本的に親機Ｍと共通の構成を有しているので、詳細な構成についての図示並びに説明は省略する。
【００２３】
既に説明したように、ドアホン子器Ｓから送信された呼出信号を受信すると、親機Ｍの制御部１が給電回路１６を制御してドアホン子器Ｓへの給電電圧を待機給電状態から動作給電状態へ移行させるとともに音声処理部９を制御してスピーカ３から呼出音を鳴動させる。一方、ドアホン子器Ｓでは制御部のマイコンがスタンバイ状態から通常状態に復帰し、撮像装置並びに映像信号伝送部を起動して映像信号を信号線Ｌｓを介して親機Ｍに送信するとともに音声信号処理部を起動する。親機Ｍでは、ドアホン子器Ｓから伝送されてくる映像信号を復調部６で復調するとともに画像処理部７で必要に応じて画像処理して液晶ディスプレイ５に来訪者Ｈの映像を表示する（図３（ａ）参照）。そして、呼出音を聞いた住人が液晶ディスプレイ５の画面５ａに表示されている来訪者Ｈの映像を見て操作釦１８を押操作すれば、操作スイッチ１１がオンとなって通話開始の操作入力が制御部１で受け付けられる。制御部１は通話開始の操作入力を受け付けると、通話回路４を起動してドアホン子器Ｓとの間で信号線Ｌｓを介して音声信号を授受することにより来訪者と住人との通話が可能となる。
【００２４】
ここで、呼出信号を受信してから通話開始の操作入力を受け付けるまでの間、親機Ｍの制御部１は、図３（ａ）に示すような画像を液晶ディスプレイ５の画面５ａに表示させる。つまり、ドアホン子器Ｓの撮像装置で撮像された映像（来訪者Ｈと背景）が画面５ａ全体に表示されるとともに、画面５ａの下端部には３種類の操作釦画像Ｂ１，Ｂ２，Ｂ３が重ねて表示され、さらに画面５ａ右端の中央（操作釦１８の左隣）には「通話＞」という案内表示が表示される。この案内表示（「通話＞」）は、現在の状況においてメカニカルな操作スイッチ１１に割り当てられている機能を使用者（住人）に知らせるためのものであって、図３（ａ）に示す状況（ドアホン子器Ｓから呼び出されている状況）においては通話開始の操作入力が受け付けられることになる。すなわち、本実施形態においては、操作スイッチ１１と制御部１とで第１の操作入力受付手段を構成している。
【００２５】
操作釦画像Ｂ１，Ｂ２，Ｂ３はそれぞれ「解錠」，「室内呼」，「ズーム」の各文字を四角の枠で囲った形状を有している。親機Ｍの制御部１では、住人が画面５ａに触れた位置（接触位置）をタッチパネル１０から取得し、当該接触位置が何れかの操作釦画像Ｂ１〜Ｂ３の表示位置、例えば、操作釦画像Ｂ１の表示位置と一致していれば電気錠装置Ｌを解錠するための操作入力を受け付け、操作釦画像Ｂ２の表示位置と一致していれば副親機Ｍ’を呼び出すための操作入力を受け付け、操作釦画像Ｂ３の表示位置と一致していれば撮像装置で撮像された映像を拡大するための操作入力を受け付ける。そして、制御部１は、操作釦画像Ｂ１に対応する操作入力を受け付けるとＩ／Ｆ部１２より解錠指令を伝送することで電気錠装置Ｌに電気錠を解錠させ、操作釦画像Ｂ２に対応する操作入力を受け付けると通信線Ｌｄを介して副親機Ｍ’に呼出信号を送信し、操作釦画像Ｂ３に対応する操作入力を受け付けると画像処理部７を制御して撮像装置で撮像された映像の一部（例えば、中央部）を画面５ａの大きさに拡大する画像処理を行わせる。すなわち、本実施形態においてはタッチパネル１０で接触位置検出手段を構成し、制御部１で第２の操作入力受付手段を構成している。
【００２６】
一方、通話開始の操作入力を受け付けた後、親機Ｍの制御部１は、図３（ｂ）に示すような画像を液晶ディスプレイ５の画面５ａに表示させる。つまり、ドアホン子器Ｓの撮像装置で撮像された映像が画面５ａ全体に表示されるとともに、画面５ａの下端部には４種類の操作釦画像Ｂ０，Ｂ１，Ｂ２，Ｂ３が重ねて表示される。操作釦画像Ｂ０は「録画」の文字を四角の枠で囲った形状を有している。親機Ｍの制御部１ではタッチパネル１０から取得した接触位置が操作釦画像Ｂ０の表示位置と一致していれば撮像装置で撮像された映像を録画するための操作入力を受け付けるとともに、当該操作入力を受け付けたら画像処理部７を制御して撮像装置で撮像された映像を圧縮してメモリ８に記憶する。尚、図３（ｂ）の画像では操作スイッチ１１に対応する案内表示が表示されておらず、この状況で操作スイッチ１１（操作釦１８）が操作されても制御部１では何の操作入力も受け付けない。
【００２７】
ここで、図３（ａ）に示すように操作釦画像Ｂ１〜Ｂ３と案内表示（「通話＞」）が同時に画面５ａに表示される状況においては、本来は操作釦１８を操作すべき場合、すなわち、通話開始の操作入力をする場合に使用者（住人）が誤って画面５ａ内の案内表示の位置に触れる可能性がある。そのために本実施形態では、操作釦画像Ｂ１〜Ｂ３の形状（四角の枠と文字）と案内表示の形状（文字と＞の記号）とを互いに異ならせることで使用者（住人）が案内表示を操作釦画像と誤認識する可能性を低下しているが、それでも使用者（住人）が案内表示を操作釦画像と誤認識して画面５ａ内の案内表示の位置に触れる可能性はゼロではない。
【００２８】
そこで本実施形態では、接触位置検出手段（タッチパネル１０）で検出する接触位置が表示手段（液晶ディスプレイ５）の画面５ａ内において少なくとも案内表示（図３（ａ）においては「通話＞」）の表示領域（図３（ａ）において破線イで囲んだ領域）と一致するときに第２の操作入力受付手段（制御部１）が当該案内表示に対応した操作入力（図３（ａ）においては通話開始の操作入力）を受け付けるようにしている。つまり、案内表示を操作釦画像と誤認識した使用者（住人）が操作領域に触れると当該案内表示に対応した操作入力、例えば、通話開始の操作入力が制御部１で受け付けられ、制御手段たる制御部１が操作釦１８（操作スイッチ１１）の操作によって通話開始の操作入力を受け付けた場合と同様の処理、この場合は通話開始の処理を実行することになる。したがって、操作釦１８（操作スイッチ１１）のみで通話開始の操作入力が受け付けられる場合と比較して使い勝手を向上したインターホン装置（インターホン親機Ｍ）並びにインターホンシステムを提供することができる。
【符号の説明】
【００２９】
Ｍ  インターホン親機（インターホン装置）
Ｓ  ドアホン子器
Ｍ’インターホン副親機
１  制御部（制御手段，第１及び第２の操作入力受付手段）
５  液晶ディスプレイ（表示手段）
１０  タッチパネル（接触位置検出手段）
１１  操作スイッチ（第１の操作入力受付手段）
【図１】
2010288228.tif 000003
【図２】
2010288228.tif 000004
【図３】
2010288228.tif 000005